【手続補正書】
【提出日】平成20年3月3日(2008.3.3)
【手続補正１】
【補正対象書類名】明細書
【補正対象項目名】発明の名称
【補正方法】変更
【補正の内容】
【発明の名称】認証装置および通信システム
【手続補正２】
【補正対象書類名】明細書
【補正対象項目名】特許請求の範囲
【補正方法】変更
【補正の内容】
【特許請求の範囲】
【請求項１】
使用者の識別を行う認証装置であって、
基準用生体情報を記憶する手段と、
前記使用者の照会用生体情報を読み取る手段と、
前記照会用生体情報を、前記基準用生体情報と照合する手段と、
前記照合が合致した場合、合致した旨をデータとして送信する手段と、
前記データの送信によって通信が許可された後でパスワードを送信し、前記パスワードによって、前記基準用生体情報の書き換えが許可された場合に、前記記憶する手段に記憶された前記基準用生体情報の書き換えを行う手段とを有することを特長とする認証装置。
【請求項２】
使用者の識別を行う認証装置であって、
ｎ（ｎは自然数）個の基準用生体情報を記憶する手段と、
前記使用者のｎ個の照会用生体情報を読み取る手段と、
前記ｎ個の照会用生体情報を、前記ｎ個の基準用生体情報と照合する手段と、
前記照合において、前記ｎ個の照会用生体情報の少なくとも一と、前記ｎ個の基準用生体情報の少なくとも一とが合致した場合、合致した旨をデータとして送信する手段と、
前記データの送信によって通信が許可された後でパスワードを送信し、前記パスワードによって、前記ｎ個の基準用生体情報の書き換えが許可された場合に、前記記憶する手段に記憶された前記ｎ個の基準用生体情報の少なくとも一の書き換えを行う手段とを有することを特長とする認証装置。
【請求項３】
使用者の識別を行う認証装置であって、
ｎ（ｎは自然数）個の基準用生体情報を記憶する手段と、
前記使用者のｍ（ｍは自然数）個の照会用生体情報を読み取る手段と、
前記ｍ個の照会用生体情報を、前記ｎ個の基準用生体情報と照合する手段と、
前記照合において、前記ｍ個の照会用生体情報の少なくとも一と、前記ｎ個の基準用生体情報の少なくとも一とが合致した場合、合致した旨をデータとして送信する手段と、
前記データの送信によって通信が許可された後でパスワードを送信し、前記パスワードによって、前記ｎ個の基準用生体情報の書き換えが許可された場合に、前記記憶する手段に記憶された前記ｎ個の基準用生体情報の少なくとも一の書き換えを行う手段とを有することを特長とする認証装置。
【請求項４】
使用者の識別を行う認証装置であって、
ｎ（ｎは自然数）個の、複数の種類の基準用生体情報を記憶する手段と、
前記使用者のｍ（ｍは自然数）個の、複数の種類の照会用生体情報を読み取る手段と、
前記ｍ個の、複数の種類の照会用生体情報を、前記ｎ個の、複数の種類の基準用生体情報と照合する手段と、
前記照合において、前記複数の種類の内、各種類の照会用生体情報の少なくとも一と、前記複数の種類の内、各種類の基準用生体情報の少なくとも一とが合致した場合、合致した旨をデータとして送信する手段と、
前記データの送信によって通信が許可された後でパスワードを送信し、前記パスワードによって、前記ｎ個の、複数の種類の基準用生体情報の書き換えが許可された場合に、前記記憶する手段に記憶された前記ｎ個の、複数の種類の基準用生体情報の少なくとも一の書き換えを行う手段とを有することを特長とする認証装置。
【請求項５】
請求項１乃至請求項４のいずれか一において、
前記基準用生体情報とは、指紋、掌紋、または声紋であることを特長とする認証装置。
【請求項６】
請求項１乃至請求項５のいずれか一において、
前記照会用生体情報とは、指紋、掌紋、または声紋であることを特長とする認証装置。
【請求項７】
請求項５または請求項６において、
前記掌紋とは、手のひらの全体の掌紋、または前記手のひらの一部の掌紋であることを特長とする認証装置。
【請求項８】
請求項１乃至請求項７のいずれか一において、
前記記憶する手段とは、フラッシュメモリであることを特長とする認証装置。
【請求項９】
請求項１乃至請求項８のいずれか一において、
前記読み取る手段とは、フォトダイオード、ＣＣＤ、またはマイクであることを特長とする認証装置。
【請求項１０】
請求項１乃至請求項９に記載の認証装置と、前記パスワードの入力用のキーとを有することを特長とする携帯情報端末。
【請求項１１】
請求項１乃至請求項９のいずれか一に記載の認証装置と、前記パスワードの入力用のキーとを有することを特長とする携帯電話。
【請求項１２】
請求項１乃至請求項９のいずれか一に記載の認証装置と、前記パスワードの入力用のキーボードとを有することを特長とするパーソナルコンピュータ。
【請求項１３】
請求項１乃至請求項１２のいずれか一において、
前記データが相手先によって受信された後、前記認証装置と前記相手先との間で直接通信が開始されることを特長とする通信システム。
【請求項１４】
請求項１乃至請求項１２のいずれか一において、
前記データが管理者によって受信された後、前記管理者を間に介して前記認証装置と相手先との間で通信が開始されることを特長とする通信システム。
【請求項１５】
請求項１乃至請求項１２のいずれか一において、
前記データが管理者によって受信された後、前記管理者は、前記照合が合致した旨をデータとして相手先に送信し、前記管理者を間に介して前記認証装置と前記相手先との間で通信が開始されることを特長とする通信システム。
【請求項１６】
請求項１乃至請求項１２のいずれか一において、
前記データが管理者によって受信された後、前記管理者は、前記照合が合致した旨をデータとして相手先に送信し、前記認証装置と前記相手先との間で直接通信が開始されることを特長とする通信システム。
【請求項１７】
請求項１乃至請求項１６のいずれか一において、
前記認証装置と相手先との間で取引が行われ、前記使用者の識別は、前記相手先において設定された条件を満たす場合に限定して要求されることを特長とする通信システム。
【手続補正３】
【補正対象書類名】明細書
【補正対象項目名】００３５
【補正方法】変更
【補正の内容】
【００３５】
本発明は使用者を識別する通信システムであって、
ｎ個の基準用生体情報を記憶する手段と、
前記使用者のｍ個の照会用生体情報を読み取る手段と、
前記ｍ個の照会用生体情報を前記ｎ個の基準用生体情報と照合する手段と、
前記照合において、前記ｍ個の照会用生体情報の少なくとも１つが、前記ｎ個の基準用生体情報の少なくとも１つと合致している場合、相手先に合致したことをデータとして送る手段と、
を有することを特長とする。
【手続補正４】
【補正対象書類名】明細書
【補正対象項目名】００３７
【補正方法】変更
【補正の内容】
【００３７】
本発明は使用者を識別する通信システムであって、
複数の種類の基準用生体情報をｎ個記憶する手段と、
前記使用者の複数の種類の照会用生体情報をｍ個読み取る手段と、
前記ｍ個の複数の種類の照会用生体情報を前記ｎ個の複数の種類の基準用生体情報と照合する手段と、
前記照合において、前記複数の種類の内、各種類の照会用生体情報の少なくとも１つが、前記複数の種類の内、各種類の基準用生体情報の少なくとも１つと合致している場合、相手先に合致したことをデータとして送る手段と、
を有することを特長とする。
【手続補正５】
【補正対象書類名】明細書
【補正対象項目名】００３８
【補正方法】変更
【補正の内容】
【００３８】
本発明は使用者を識別する通信システムであって、
複数の種類の基準用生体情報をｎ個記憶する手段と、
前記使用者の複数の種類の照会用生体情報をｍ個読み取る手段と、
前記ｍ個の、複数の種類の照会用生体情報を、前記ｎ個の、複数の種類の基準用生体情報と照合する手段と、
前記照合において、前記ｍ個の、複数の種類の照会用生体情報が、前記ｎ個の、複数の種類の基準用生体情報と合致している場合、相手先に合致したことをデータとして送る手段と、
を有することを特長とする。
【手続補正６】
【補正対象書類名】明細書
【補正対象項目名】００４７
【補正方法】変更
【補正の内容】
【００４７】
本発明は使用者を識別する通信システムであって、
複数の種類の基準用生体情報をｎ個記憶する手段と、
前記使用者の複数の種類の照会用生体情報をｍ個読み取る手段と、
前記ｍ個の、複数の種類の照会用生体情報を、前記ｎ個の、複数の種類の基準用生体情報と照合する手段と、
前記照合において、前記複数の種類の内、各種類の照会用生体情報の少なくとも１つが、前記複数の種類の内、各種類の基準用生体情報の少なくとも１つと合致している場合、相手先に合致したことをデータとして送る手段と、
を有する通信システムであって、
前記相手先に前記照合が合致したことをデータとして送った後に、パスワードをデータとして前記相手先に送り、前記相手先において前記パスワードが正しいと認証された場合、前記複数の種類の基準用生体情報を書き換えられることを特長とする。
【手続補正７】
【補正対象書類名】明細書
【補正対象項目名】００４８
【補正方法】変更
【補正の内容】
【００４８】
本発明は使用者を識別する通信システムであって、
複数の種類の基準用生体情報をｎ個記憶する手段と、
前記使用者の複数の種類の照会用生体情報をｍ個読み取る手段と、
前記ｍ個の、複数の種類の照会用生体情報を、前記ｎ個の、複数の種類の基準用生体情報と照合する手段と、
前記照合において、前記ｍ個の、複数の種類の照会用生体情報が、前記ｎ個の、複数の種類の基準用生体情報と合致している場合、相手先に合致したことをデータとして送る手段と、
を有する通信システムであって、
前記相手先に前記照合が合致したことをデータとして送った後に、パスワードをデータとして前記相手先に送り、前記相手先において前記パスワードが正しいと認証された場合、前記複数の種類の基準用生体情報を書き換えられることを特長とする。